(57)【要約】      （修正有）【課題】建屋の上下階にまたがって設置されたエスカレータと建屋の上階床開口部周縁とによって形成される三角部、或いは、エスカレータとこれに並設された他のエスカレータとによって形成される三角部に配設される安全装置において、重量増や大幅なコストアップを招くことなく保護板全体の強度を高めて保護板の破損を有効に防止する。【解決手段】長手方向に沿ってスリットが形成された筒状部材１３と、三角部に対応した形状とされ一端側が筒状部材のスリット１５に挿入されて筒状部材と一体化された保護板１１とを有し、保護板の周縁部に枠形状の補強部材１２を接合した状態で筒状部材１２と一体化した構造とする。【選択図】図２
2008133064.tif 000002
【特許請求の範囲】
【請求項１】
建屋の上下階にまたがって設置されたエスカレータと前記建屋の上階床開口部周縁とによって形成される三角部、或いは、前記エスカレータとこれに並設された他のエスカレータとによって形成される三角部に配設される安全装置において、
長手方向に沿ってスリットが形成された筒状部材と、
前記三角部に対応した形状とされ、一端側が前記筒状部材のスリットに挿入されて前記筒状部材と一体化された保護板とを有し、
前記保護板は、周縁部に枠形状の補強部材が接合された状態で前記筒状部材と一体化されていることを特徴とする安全装置。
【請求項２】
前記補強部材は、前記保護板と同じ材質で形成されていることを特徴とする請求項１に記載の安全装置。
【請求項３】
前記補強部材は、前記保護板の材質よりも強度の高い材質で形成されていることを特徴とする請求項１に記載の安全装置。
【請求項４】
前記補強部材は、前記保護板と異なる色とされていることを特徴とする請求項１に記載の安全装置。
【発明の詳細な説明】
【技術分野】
【０００１】
本発明は、エスカレータと建屋の上階床開口部周縁とが交差する部分、或いは、エスカレータとこれに並設された他のエスカレータとが交差する部分である三角部に配設され、エスカレータの利用者の安全性を確保するための安全装置に関する。
【背景技術】
【０００２】
建屋の上下階にまたがって設置されるエスカレータでは、利用者の挟まれ事故を防止するために、昭和５２年建設省住指発第２５号に則った安全対策の１つとして、エスカレータとこのエスカレータが設置された建屋の上階床開口部周縁とが交差する部分、或いは、エスカレータとこれに隣接して設置された他のエスカレータとが交差する部分である三角部に、三角部ガード板と呼ばれる安全装置を設けることが義務付けられている。
【０００３】
この三角部ガード板は、アクリル樹脂等が三角部に対応した形状に成形されてなる保護板を有し、この保護板の前端側、すなわちエスカレータの踏段及びハンドレールが走行する方向の始端側に、アクリル樹脂等が円筒状に成形されてなる筒状部材が固着された構造となっている。筒状部材には、その長さ方向に沿ってスリットが形成されており、このスリットから保護板の前端側が筒状部材の内部に挿入され、境界部分が接着剤等によって接合されることで、保護板と筒状部材とが一体化されている。
【０００４】
このような構造の三角部ガード板は、保護板の上部に吊り具が取り付けられ、この吊り具によって、建屋の上階床の下部、或いは、他のエスカレータの下部に揺動自在に取り付けられている。また、吊り具が取り付けられる保護板の上部には補強板が接合されており、この補強板で吊り具が取り付けられた部分の強度を高めることで、保護板が吊り具から外れて落下することを防止している。
【０００５】
ところで、このような三角部ガード板は、エスカレータの利用者が簡単に手で触れることができるので、いたずら等の対象となることも想定され、例えば、エスカレータの利用者が、故意に筒状部材の下端部を大きな力で捩った場合、この筒状部材と保護板上部との接合部分に強い応力が作用して保護板が破損し、保護板と筒状部材とが分離して、筒状部材の落下を招くことも考えられる。そこで、このような不都合を防止するための対策として、特許文献１では、保護板上部に接合する補強板を延長してその一部を保護板とともに筒状部材の内部に挿入することで、保護板を破損しにくい構造とすることが提案されている。
【特許文献１】特開２００３−２０１８６号公報
【発明の開示】
【発明が解決しようとする課題】
【０００６】
しかしながら、特許文献１にて開示される構造では、筒状部材と保護板上部との接合部分の強度は高められるものの、保護板全体の強度は高められないため、上述したような応力が作用した場合に保護板に部分的な破損が生じる可能性がある。ここで、保護板全体の強度を高めるには、例えば、保護板自体の板厚を厚くする、或いは、保護板の材質をアクリル樹脂から金属等に変更することも考えられるが、このような方法では装置全体の重量が大幅に増加することになり、重量増に耐えられるように吊り具の吊り元の強度を高める必要が生じたり、また、大幅なコストアップを招くことになるといった問題がある。
【０００７】
本発明は、以上のような従来の実情に鑑みて創案されたものであって、重量増や大幅なコストアップを招くことなく保護板全体の強度を高めて保護板の破損を有効に防止し、万が一保護板に破損が生じた場合でも、落下しにくい構造のエスカレータの安全装置を提供することを目的としている。
【課題を解決するための手段】
【０００８】
本発明に係る安全装置は、建屋の上下階にまたがって設置されたエスカレータと前記建屋の上階床開口部周縁とによって形成される三角部、或いは、前記エスカレータとこれに並設された他のエスカレータとによって形成される三角部に配設されるものであり、三角部に対応した形状の保護板と筒状部材とが一体化されて構成されるものである。筒状部材には、長手方向に沿ってスリットが形成されており、このスリットに保護板の一端側が挿入されて、筒状部材と保護板とが一体化されている。特に、本発明に係る安全装置では、三角部に対応した形状の保護板を、その周縁部に枠形状の補強部材を接合した状態で筒状部材と一体化した構造とすることで、保護板全体の強度向上が図られている。
【発明の効果】
【０００９】
本発明に係る安全装置によれば、保護板の周縁部に枠形状の補強部材を接合した状態で保護板と筒状部材とを一体化しているので、重量増や大幅なコストアップを招くことなく保護板全体の強度を高めて保護板の破損を有効に防止することができ、万が一保護板に破損が生じた場合でも、破損した部分の落下を有効に防止することができる。
【発明を実施するための最良の形態】
【００１０】
以下、本発明の実施の形態を図面を参照して詳細に説明する。
【００１１】
まず、本発明を適用した安全装置が設置されるエスカレータについて説明する。エスカレータは、図１に示すように、上下階を有する建屋に設置され、チェーン等によって無端状に連結された複数の踏段１が、上階と下階とに亘って斜めに循環移動する構造である。
【００１２】
無端状に連結された複数の踏段１の左右両側には、一対の欄干２が立設されている。そして、これら一対の欄干２の上部には、踏段１と同期して走行するハンドレール３がそれぞれ配設されている。また、踏段１の下方には、図示を省略するが、エスカレータの自重及び利用者の荷重を支えるトラスと呼ばれる躯体部分が設けられており、この躯体部分の内部に、踏段１やハンドレール３を駆動する駆動機や、踏段１の移動を案内する踏段レール、制御盤等が配設されている。
【００１３】
以上のように構成されるエスカレータは、無端状に連結された複数の踏段１及び一対のハンドレール３が、駆動機による駆動力を受けて上階と下階との間を移動することにより、利用者を下階から上階へ、或いは上階から下階へと搬送する。
【００１４】
このエスカレータは、その一端側が建屋の上階床（下階天井）に設けられた開口部を通して上階の床面上に設置されており、その中途部において上階床に設けられた開口部の周縁と交差するようになっている。このエスカレータと開口部周縁とが交差する部分は三角部と呼ばれている。また、図１に示したように、建屋内にこのエスカレータと隣接して他のエスカレータが設置されている場合には、これらのエスカレータは互いの中途部において交差することになる。これら、隣接するエスカレータ同士が交差する部分も三角部と呼ばれている。そして、これらの三角部に、本発明を適用した安全装置１０が設置されている。すなわち、本発明を適用した安全装置１０は、エスカレータと建屋の上階床開口部周縁とのが交差する部分、或いは、エスカレータとこれに隣接して設置された他のエスカレータとが交差する部分である三角部に設置されて、エスカレータの欄干２から身を乗り出した利用者が、この三角部に挟み込まれる事故を未然に防止するものである。
【００１５】
本発明を適用した安全装置１０の具体的な一例を図２に示す。この図２に示す安全装置１０は、前記三角部に対応した形状の保護板１１と、この保護板１１の周縁部に接合された枠形状の補強部材１２と、保護板１１の一端側（図中左側）、すなわちエスカレータの踏段１及びハンドレール３が走行する方向の始端側に固着されて保護板１１と一体化された筒状部材１３とを備えて構成される。そして、この安全装置は、保護板１１の上部に取り付けられた吊り具１４によって、エレベータが設置された建屋の上階床の下部、或いは、隣接する他のエスカレータの下部に揺動自在に取り付けられて、前記三角部に配置される。
【００１６】
保護板１１は、例えばアクリル樹脂などの透明の樹脂材料が、三角部に対応した例えば台形の板状に成形されてなるものである。この保護板１１の周縁部には、図３に示すように、保護板１１の外形に対応した枠形状の補強部材１２が接合される。
【００１７】
補強部材１２は、保護板１１と同様、例えばアクリル樹脂などの透明の樹脂材料を素材として保護板１１の外形に対応した枠形状に形成され、接着剤などにより保護板１１の周縁部に接合される。この補強部材１２の板厚は例えば保護板１１と同程度とされ、また、枠の各片の幅はあまり重量増とならない程度に任意に設定される。ただし、補強部材１２による強度向上の効果を高めるには、枠の各片のうち少なくとも筒状部材１３側の片については、保護板１１とともに筒状部材１３に挿入された際に、一部が筒状部材１３の外部にはみ出す程度の幅を確保しておくことが望ましい。
【００１８】
筒状部材１３は、保護板１１や補強部材１２と同様、例えばアクリル樹脂などの透明の樹脂材料を素材とし、所定の長さの円筒状に形成されている。この筒状部材１３には、図４に示すように、その長手方向に沿ってスリット１５が形成されており、このスリット１５から補強部材１２が接合された保護板１１の一端側が挿入され、スリット１５の周縁から接着剤が注入されること等によってこれらと接合され、一体化される。
【００１９】
以上のように構成される本発明を適用した安全装置１０では、三角部に対応した形状の保護板１１が、周縁部に枠形状の補強部材１２が接合された状態で筒状部材１３と一体化されているので、保護板１１全体の強度が向上し、例えばエスカレータ利用者のいたずらにより筒状部材１３の下端部が故意に大きな力で捩られた場合でも、保護板１１の破損を有効に防止することができる。また、保護板１１全体が補強部材１２とつながっているので、万が一保護板１１に破損が生じた場合でも、破損した部分の落下を有効に防止することができる。
【００２０】
また、保護板１１全体の強度を高める補強部材１２が枠形状とされているので、装置全体の大幅な重量増や大幅なコストアップを招くことがない。さらに、補強部材１２が保護板１１や筒状部材１２と同様の透明の樹脂材料を素材として形成されているので、安全装置１０自体やエスカレータを含めた全体の意匠にも影響を与えることがない。
【００２１】
なお、以上説明した安全装置１０は、本発明の一適用例を例示したものであり、本発明の趣旨を逸脱しない範囲で様々な変形が可能である。例えば、図２乃至図４で示した安全装置１０の例では、保護板１１の周縁部に接合する枠形状の補強部材１２を、保護板１１の全周囲を囲むリング状としているが、図５及び図６に示すように、保護板１１の筒状部材１２内部に挿入される一端側に対応する部分を省略し、この一端側で開放された形状としてもよい。この場合には、図６に示すように、保護板１１の筒状部材１３に挿入される部分に、補強部材１２が接合されている箇所と接合されていない箇所との厚みの違いにより段差が生じるので、この段差によって隙間が形成されることがないように、筒状部材１３のスリット１３ａを予めこの段差に対応した形状に形成しておくことが望ましい。
【００２２】
この例では、保護板１１の全周囲を囲むリング状の補強部材１２を保護板１１に接合した場合に比べて、保護板１１の強度向上の点では若干劣るが、補強部材１２を付加したことによる重量増を更に抑えられるという利点がある。また、この例でも、保護板１１全体が補強部材１２とつながっているので、万が一保護板１１に破損が生じた場合でも、破損した部分の落下を有効に防止することができる。
【００２３】
また、以上説明した例では、補強部材１２の材質を保護板１１や筒状部材１３と同じ透明の樹脂材料としているが、保護板１１や筒状部材１３よりも強度の高い材質、例えば金属などで補強部材１２を形成するようにしてもよい。この場合には、保護板１１全体の更なる強度向上が期待できる。
【００２４】
また、補強部材１２を例えば色のついたアクリル樹脂で成形する、或いは成形された補強部材１２に着色するなどの手法により、補強部材１２の色を保護板１１とは異なる色にしてもよい。この場合には、エスカレータ利用者の視覚認識度を高めることができ、エスカレータ利用者に安全装置１０が設置されている三角部が接近していることを、より明確に認識させることができるといった効果が期待できる。
【００２５】
また、以上説明した安全装置１０では、保護板１１が三角部に対応した形状の１枚の部材で構成されているが、保護板１１としては、必要に応じて２つ以上のパーツに分割されているものを使用するようにしてもよい。
【図面の簡単な説明】
【００２６】
【図１】エスカレータの全体構成を示す模式図。
【図２】本発明を適用した安全装置の一例を示す側面図。
【図３】保護板に補強部材を接合する様子を示す斜視図。
【図４】補強部材が接合された保護板と筒状部材とを一体化した様子を示す要部拡大斜視図。
【図５】本発明を適用した安全装置の他の例を示す図であり、保護板に補強部材を接合する様子を示す斜視図。
【図６】本発明を適用した安全装置の他の例を示す図であり、補強部材が接合された保護板と筒状部材とを一体化した様子を示す要部拡大斜視図。
【符号の説明】
【００２７】
１０  安全装置
１１  保護板
１２  補強部材
１３  筒状部材
１４  吊り具
１５  スリット
【図１】
2008133064.tif 000003
【図２】
2008133064.tif 000004
【図３】
2008133064.tif 000005
【図４】
2008133064.tif 000006
【図５】
2008133064.tif 000007
【図６】
2008133064.tif 000008